(57)【要約】【課題】数多く所有することなく様々なシーンに対応すること。【解決手段】複数の表示データを格納したメモリ１０６と、複数の表示データを切換表示可能な液晶表示器１０４と、入力された情報に応じてメモリ１０６に格納した表示データを選択し、該選択した表示データを液晶表示器１０４に表示する表示制御部１０７とを備えて腕時計を構成している。液晶表示器１０４としては、腕時計本体１００の表面全域を覆う大きさを有したものを適用している。腕時計本体１００に設けた操作入力部１１１を適宜操作することにより、液晶表示器１０４に表示される背景および時刻表示を切り換えることができる。【選択図】　　　図１
2004028918.tif 000002
【特許請求の範囲】
【請求項１】
複数の表示データを格納したメモリと、
前記複数の表示データを切換表示可能な表示手段と、
入力された情報に応じて前記メモリに格納した表示データを選択し、該選択した表示データを前記表示手段に表示する表示制御手段と
を備えたことを特徴とする腕時計。
【請求項２】
前記メモリに格納した表示データは、現在時刻をデジタル表示するための複数のフォントデータを含むことを特徴とする請求項１に記載の腕時計。
【請求項３】
前記メモリに格納した表示データは、時刻表示の背景となる複数の背景データを含むことを特徴とする請求項１または２に記載の腕時計。
【請求項４】
前記背景データは、静止画像を表示するためのデータであることを特徴とする請求項３に記載の腕時計。
【請求項５】
前記背景データは、動画像を表示するためのデータであることを特徴とする請求項３に記載の腕時計。
【請求項６】
前記メモリに格納した表示データは、現在時刻をデジタル表示するための複数のフォントデータと、時刻表示の背景となる複数の背景データとを含むものであり、
前記表示制御手段は、前記複数のフォントデータと、前記複数の背景データとを各別に選択し、これらの組合せデータを前記表示手段に表示することを特徴とする請求項１に記載の腕時計。
【請求項７】
前記表示手段に表示するフォントデータの位置を外部から指定するための表示位置指定手段をさらに備え、前記表示制御手段が前記表示位置指定手段を通じた指定位置に従ってフォントデータを表示することを特徴とする請求項６に記載の腕時計。
【請求項８】
前記表示手段を備えた腕時計本体と、この腕時計本体を腕に装着するためのベルトとを互いに着脱可能に接続したことを特徴とする請求項１に記載の腕時計。
【請求項９】
前記表示手段に表示する表示データを外部から選択するためのデータ選択手段をさらに備え、前記表示制御手段が前記データ選択手段を通じた選択結果に従って表示データを選択することを特徴とする請求項１に記載の腕時計。
【請求項１０】
脈拍を検出するための脈拍検出手段をさらに備え、前記表示制御手段が前記脈拍検出手段の検出結果に応じて表示データを選択することを特徴とする請求項１に記載の腕時計。
【請求項１１】
血圧を検出するための血圧検出手段をさらに備え、前記表示制御手段が前記血圧検出手段の検出結果に応じて表示データを選択することを特徴とする請求項１に記載の腕時計。
【請求項１２】
体温を検出するための体温検出手段をさらに備え、前記表示制御手段が前記体温検出手段の検出結果に応じて表示データを選択することを特徴とする請求項１に記載の腕時計。
【請求項１３】
前記表示手段は、前記腕時計本体の表面全域を覆う大きさを有したことを特徴とする請求項８に記載の腕時計。
【請求項１４】
メロディデータを格納したメモリと、
前記メロディデータに応じたメロディを出力するメロディ出力手段と
をさらに備え、前記表示制御手段が、前記メロディ出力手段から出力されるメロディに従って表示データを選択することを特徴とする請求項１に記載の腕時計。
【請求項１５】
駆動信号に応じて報知出力を行う報知出力手段と、
任意の時刻を設定入力するための時刻入力手段と、
前記時刻入力手段によって入力された設定時刻と現在時刻とを比較し、該比較結果が予め設定した時間以下となった場合に前記報知出力手段に対して駆動信号を与える駆動信号付与手段と
をさらに備えたことを特徴とする請求項１に記載の腕時計。
【請求項１６】
前記報知出力手段は、駆動信号が与えられた場合に振動する振動発生手段であることを特徴とする請求項１５に記載の腕時計。
【請求項１７】
電源供給手段として前記腕時計本体に設けた充電池と、
前記腕時計本体を載置させ、かつ前記充電池に対して充電を行うクレードルと
をさらに備えたことを特徴とする請求項８に記載の腕時計。
【請求項１８】
前記クレードルは、前記表示手段を前面に露出させた状態で前記腕時計本体を載置させるものであることを特徴とする請求項１７に記載の腕時計。
【請求項１９】
複数の音声データを格納したメモリと、
前記音声データに応じた音声を出力する音声出力手段と、
入力された情報に応じて前記メモリに格納した音声データを選択し、前記音声出力手段を通じて選択した音声データの出力を行う音声出力制御手段と
をさらに備えたことを特徴とする請求項１に記載の腕時計。
【請求項２０】
体温を検出するための体温検出手段をさらに備え、前記音声出力制御手段が前記体温検出手段の検出結果に応じて音声データを選択することを特徴とする請求項１９に記載の腕時計。
【請求項２１】
携帯無線端末機器との間においてデータの送受信を行う無線通信処理部と、
脈拍を検出するための脈拍検出手段と、
前記脈拍検出手段の検出結果を送信データとして前記無線通信処理部に与える脈拍データ送出手段と
をさらに備えたことを特徴とする請求項１に記載の腕時計。
【請求項２２】
携帯無線端末機器との間においてデータの送受信を行う無線通信処理部と、
血圧を検出するための血圧検出手段と、
前記血圧検出手段の検出結果を送信データとして前記無線通信処理部に与える血圧データ送出手段と
をさらに備えたことを特徴とする請求項１に記載の腕時計。
【請求項２３】
携帯無線端末機器との間においてデータの送受信を行う無線通信処理部と、
体温を検出するための体温検出手段と、
前記体温検出手段の検出結果を送信データとして前記無線通信処理部に与える体温データ送出手段と
をさらに備えたことを特徴とする請求項１に記載の腕時計。
【請求項２４】
携帯無線端末機器との間においてデータの送受信を行う無線通信処理部と、
前記無線通信処理部を通じて前記携帯無線端末機器から送信されたデータをメモリに格納するデータ処理手段と
をさらに備えたことを特徴とする請求項１に記載の腕時計。
【請求項２５】
携帯無線端末機器との間においてデータの送受信を行う無線通信処理部と、
前記無線通信処理部を通じて前記携帯無線端末機器から取得した時刻表データをメモリに格納するデータ処理手段と、
前記メモリに格納した時刻表データを表示する時刻表データ表示手段と、
駆動信号に応じて報知出力を行う報知出力手段と、
任意の時刻を設定入力するための時刻入力手段と、
前記時刻入力手段によって入力された設定時刻と現在時刻とを比較し、該比較結果が予め設定した時間以下となった場合に前記報知出力手段に対して駆動信号を与える駆動信号付与手段と
をさらに備えたことを特徴とする請求項１に記載の腕時計。
【請求項２６】
携帯無線端末機器との間においてデータの送受信を行う無線通信処理部と、
前記無線通信処理部を通じて前記携帯無線端末機器から取得した着信データをメモリに格納するデータ処理手段と、
前記メモリに格納した着信データを表示する着信データ表示手段と
をさらに備えたことを特徴とする請求項１に記載の腕時計。
【請求項２７】
駆動信号に応じて報知出力を行う報知出力手段と、
前記携帯無線端末機器から着信データを取得した場合に前記報知出力手段に対して駆動信号を与える駆動信号付与手段と
をさらに備えたことを特徴とする請求項２６に記載の腕時計。
【請求項２８】
前記報知出力手段は、駆動信号が与えられた場合に振動する振動発生手段であることを特徴とする請求項２５または２７に記載の腕時計。
【請求項２９】
加齢に応じた複数の異なる姿態のキャラクタデータを格納したメモリと、
前記キャラクタデータに応じたキャラクタを表示するキャラクタ表示手段と、
キャラクタの表示が要求された場合に、前記キャラクタ表示手段を通じて表示させた時点から経過した時間に応じて、前記キャラクタデータを選択し、前記キャラクタを成長させた態様で表示するキャラクタ表示制御手段と
をさらに備えたことを特徴とする請求項１に記載の腕時計。
【請求項３０】
外部端末機器との間においてデータの送受信を行う通信処理部と、
前記腕時計本体を載置させ、かつ前記通信処理部と前記外部端末機器との間を通信可能状態とするクレードルと
をさらに備えたことを特徴とする請求項８に記載の腕時計。
【請求項３１】
前記クレードルは、前記表示手段を前面に露出させた状態で前記腕時計本体を載置させるものであることを特徴とする請求項３０に記載の腕時計。
【発明の詳細な説明】
【０００１】
【発明の属する技術分野】
本発明は、腕時計に関するもので、より詳細には、装飾品としての機能を追求した腕時計に関するものである。
【０００２】
【従来の技術】
従来より、多くの人々に使用されている腕時計は、現在の時刻を知らせることを基本機能として発揮しつつ、装飾品としての機能を併せ持つものである。特に昨今においては、その日の服装や用途等、様々なシーンに応じて腕時計のデザインや色彩を変更するなど、基本機能よりも装飾品としての機能に重点が置かれることも少なくない。
【０００３】
【発明が解決しようとする課題】
しかしながら、人々の多くは、ごく限られた数の腕時計を所有しているのが実情であり、腕時計をトータルコーディネイトに含めるには自ずと限界がある。しかも、昨今においては、流行となるデザインや色彩の移り変わりも激しい。このため、多数の腕時計を所有したところで、実際に使用するのは、その時点の流行に応じたごく一部に限られることも多々ある。つまり、多数の腕時計を所有することは、必ずしも様々なシーンに対応できるとは限らず、金銭的負担が多くなる、保守や管理が煩雑になる、等々の問題だけが所有者に残ることとなる。
【０００４】
本発明は、上記実情に鑑みて、数多く所有することなく様々なシーンに対応することのできる腕時計を提供することを目的とする。
【０００５】
【課題を解決するための手段】
上記目的を達成するため、本発明の請求項１に係る腕時計は、複数の表示データを格納したメモリと、前記複数の表示データを切換表示可能な表示手段と、入力された情報に応じて前記メモリに格納した表示データを選択し、該選択した表示データを前記表示手段に表示する表示制御手段とを備えたことを特徴とする。
【０００６】
また、本発明の請求項２に係る腕時計は、上記請求項１において、前記メモリに格納した表示データは、現在時刻をデジタル表示するための複数のフォントデータを含むことを特徴とする。
【０００７】
また、本発明の請求項３に係る腕時計は、上記請求項１または請求項２において、前記メモリに格納した表示データは、時刻表示の背景となる複数の背景データを含むことを特徴とする。
【０００８】
また、本発明の請求項４に係る腕時計は、上記請求項３において、前記背景データは、静止画像を表示するためのデータであることを特徴とする。
【０００９】
また、本発明の請求項５に係る腕時計は、上記請求項３において、前記背景データは、動画像を表示するためのデータであることを特徴とする。
【００１０】
また、本発明の請求項６に係る腕時計は、上記請求項１において、前記メモリに格納した表示データは、現在時刻をデジタル表示するための複数のフォントデータと、時刻表示の背景となる複数の背景データとを含むものであり、前記表示制御手段は、前記複数のフォントデータと、前記複数の背景データとを各別に選択し、これらの組合せデータを前記表示手段に表示することを特徴とする。
【００１１】
また、本発明の請求項７に係る腕時計は、上記請求項６において、前記表示手段に表示するフォントデータの位置を外部から指定するための表示位置指定手段をさらに備え、前記表示制御手段が前記表示位置指定手段を通じた指定位置に従ってフォントデータを表示することを特徴とする。
【００１２】
また、本発明の請求項８に係る腕時計は、上記請求項１において、前記表示手段を備えた腕時計本体と、この腕時計本体を腕に装着するためのベルトとを互いに着脱可能に接続したことを特徴とする。
【００１３】
また、本発明の請求項９に係る腕時計は、上記請求項１において、前記表示手段に表示する表示データを外部から選択するためのデータ選択手段をさらに備え、前記表示制御手段が前記データ選択手段を通じた選択結果に従って表示データを選択することを特徴とする。
【００１４】
また、本発明の請求項１０に係る腕時計は、上記請求項１において、脈拍を検出するための脈拍検出手段をさらに備え、前記表示制御手段が前記脈拍検出手段の検出結果に応じて表示データを選択することを特徴とする。
【００１５】
また、本発明の請求項１１に係る腕時計は、上記請求項１において、血圧を検出するための血圧検出手段をさらに備え、前記表示制御手段が前記血圧検出手段の検出結果に応じて表示データを選択することを特徴とする。
【００１６】
また、本発明の請求項１２に係る腕時計は、上記請求項１において、体温を検出するための体温検出手段をさらに備え、前記表示制御手段が前記体温検出手段の検出結果に応じて表示データを選択することを特徴とする。
【００１７】
また、本発明の請求項１３に係る腕時計は、上記請求項８において、前記表示手段は、前記腕時計本体の表面全域を覆う大きさを有したことを特徴とする。
【００１８】
また、本発明の請求項１４に係る腕時計は、上記請求項１において、メロディデータを格納したメモリと、前記メロディデータに応じたメロディを出力するメロディ出力手段とをさらに備え、前記表示制御手段が、前記メロディ出力手段から出力されるメロディに従って表示データを選択することを特徴とする。
【００１９】
また、本発明の請求項１５に係る腕時計は、上記請求項１において、駆動信号に応じて報知出力を行う報知出力手段と、任意の時刻を設定入力するための時刻入力手段と、前記時刻入力手段によって入力された設定時刻と現在時刻とを比較し、該比較結果が予め設定した時間以下となった場合に前記報知出力手段に対して駆動信号を与える駆動信号付与手段とをさらに備えたことを特徴とする。
【００２０】
また、本発明の請求項１６に係る腕時計は、上記請求項１５において、前記報知出力手段は、駆動信号が与えられた場合に振動する振動発生手段であることを特徴とする。
【００２１】
また、本発明の請求項１７に係る腕時計は、上記請求項８において、電源供給手段として前記腕時計本体に設けた充電池と、前記腕時計本体を載置させ、かつ前記充電池に対して充電を行うクレードルとをさらに備えたことを特徴とする。
【００２２】
また、本発明の請求項１８に係る腕時計は、上記請求項１７において、前記クレードルは、前記表示手段を前面に露出させた状態で前記腕時計本体を載置させるものであることを特徴とする。
【００２３】
また、本発明の請求項１９に係る腕時計は、上記請求項１において、複数の音声データを格納したメモリと、前記音声データに応じた音声を出力する音声出力手段と、入力された情報に応じて前記メモリに格納した音声データを選択し、前記音声出力手段を通じて選択した音声データの出力を行う音声出力制御手段とをさらに備えたことを特徴とする。
【００２４】
また、本発明の請求項２０に係る腕時計は、上記請求項１９において、体温を検出するための体温検出手段をさらに備え、前記音声出力制御手段が前記体温検出手段の検出結果に応じて音声データを選択することを特徴とする。
【００２５】
また、本発明の請求項２１に係る腕時計は、上記請求項１において、携帯無線端末機器との間においてデータの送受信を行う無線通信処理部と、脈拍を検出するための脈拍検出手段と、前記脈拍検出手段の検出結果を送信データとして前記無線通信処理部に与える脈拍データ送出手段とをさらに備えたことを特徴とする。
【００２６】
また、本発明の請求項２２に係る腕時計は、上記請求項１において、携帯無線端末機器との間においてデータの送受信を行う無線通信処理部と、血圧を検出するための血圧検出手段と、前記血圧検出手段の検出結果を送信データとして前記無線通信処理部に与える血圧データ送出手段とをさらに備えたことを特徴とする。
【００２７】
また、本発明の請求項２３に係る腕時計は、上記請求項１において、携帯無線端末機器との間においてデータの送受信を行う無線通信処理部と、体温を検出するための体温検出手段と、前記体温検出手段の検出結果を送信データとして前記無線通信処理部に与える体温データ送出手段とをさらに備えたことを特徴とする。
【００２８】
また、本発明の請求項２４に係る腕時計は、上記請求項１において、携帯無線端末機器との間においてデータの送受信を行う無線通信処理部と、前記無線通信処理部を通じて前記携帯無線端末機器から送信されたデータをメモリに格納するデータ処理手段とをさらに備えたことを特徴とする。
【００２９】
また、本発明の請求項２５に係る腕時計は、上記請求項１において、携帯無線端末機器との間においてデータの送受信を行う無線通信処理部と、前記無線通信処理部を通じて前記携帯無線端末機器から取得した時刻表データをメモリに格納するデータ処理手段と、前記メモリに格納した時刻表データを表示する時刻表データ表示手段と、駆動信号に応じて報知出力を行う報知出力手段と、任意の時刻を設定入力するための時刻入力手段と、前記時刻入力手段によって入力された設定時刻と現在時刻とを比較し、該比較結果が予め設定した時間以下となった場合に前記報知出力手段に対して駆動信号を与える駆動信号付与手段とをさらに備えたことを特徴とする。
【００３０】
また、本発明の請求項２６に係る腕時計は、上記請求項１において、携帯無線端末機器との間においてデータの送受信を行う無線通信処理部と、前記無線通信処理部を通じて前記携帯無線端末機器から取得した着信データをメモリに格納するデータ処理手段と、前記メモリに格納した着信データを表示する着信データ表示手段とをさらに備えたことを特徴とする。
【００３１】
また、本発明の請求項２７に係る腕時計は、上記請求項２６において、駆動信号に応じて報知出力を行う報知出力手段と、前記携帯無線端末機器から着信データを取得した場合に前記報知出力手段に対して駆動信号を与える駆動信号付与手段とをさらに備えたことを特徴とする。
【００３２】
また、本発明の請求項２８に係る腕時計は、上記請求項２５または請求項２７において、前記報知出力手段は、駆動信号が与えられた場合に振動する振動発生手段であることを特徴とする。
【００３３】
また、本発明の請求項２９に係る腕時計は、上記請求項１において、加齢に応じた複数の異なる姿態のキャラクタデータを格納したメモリと、前記キャラクタデータに応じたキャラクタを表示するキャラクタ表示手段と、キャラクタの表示が要求された場合に、前記キャラクタ表示手段を通じて表示させた時点から経過した時間に応じて、前記キャラクタデータを選択し、前記キャラクタを成長させた態様で表示するキャラクタ表示制御手段とをさらに備えたことを特徴とする。
【００３４】
また、本発明の請求項３０に係る腕時計は、上記請求項８において、外部端末機器との間においてデータの送受信を行う通信処理部と、前記腕時計本体を載置させ、かつ前記通信処理部と前記外部端末機器との間を通信可能状態とするクレードルとをさらに備えたことを特徴とする。
【００３５】
また、本発明の請求項３１に係る腕時計は、上記請求項３０において、前記クレードルは、前記表示手段を前面に露出させた状態で前記腕時計本体を載置させるものであることを特徴とする。
【００３６】
【発明の実施の形態】
以下に添付図面を参照して、本発明に係る腕時計の好適な実施の形態について詳細に説明する。
【００３７】
図１は、本発明の実施の形態である腕時計を示した要部正面図、図２は、図１に示した腕時計をクレードルに載置させた状態を示す斜視図、図３は、図１に示した腕時計の構成およびその周辺機器を示すブロック図である。
【００３８】
これらの図において、本実施の形態の腕時計は、腕時計本体１００と、ベルト２００と、クレードル３００とを備えて構成してある。腕時計本体１００は、本発明の主要構成部分を格納する筐体である。ベルト２００は、腕時計本体１００を所有者の腕に装着するためのもので、従前の腕時計と同様に、例えば金属や革、ゴム、プラスチック等、適宜な材質によって構成してある。このベルト２００は、腕時計本体１００に対して着脱可能となる態様で接続してあり、適宜変更することが可能である。クレードル３００は、腕時計本体１００を載置しておくための台座である。上述した腕時計の周辺機器としては、例えば携帯電話等の携帯無線端末機器４００やパーソナルコンピュータ等の外部端末機器５００が挙げられる。
【００３９】
図３に示すように、腕時計本体１００には、主制御部１０１、無線通信処理部１０２、通信処理部１０３、液晶表示器１０４、スピーカ１０５、メモリ１０６、表示制御部１０７、メロディ出力制御部１０８、音声出力制御部１０９、時計機能部１１０、操作入力部１１１、振動発生部１１２、駆動信号付与部１１３、脈拍検出センサ１１４、血圧検出センサ１１５、体温検出センサ１１６、充電池１１７およびＡＣ−ＤＣ変換部１１８が設けてある。
【００４０】
主制御部１０１は、後述する機能を実現するために各部を統括的に制御する部分である。
【００４１】
無線通信処理部１０２は、携帯無線端末機器４００との間において無線通信によるデータの送受信を処理するものである。より詳細に説明すると、無線通信処理部１０２としては、ブルートゥース等のように携帯無線端末機器４００との間の距離が予め設定した通信可能距離以下となった場合に当該携帯無線端末機器４００との間において通信状態を確立し、相互にデータの送受信を行えるものを適用している。
【００４２】
通信処理部１０３は、外部端末機器５００との間においてデータの送受信を処理するものである。
【００４３】
液晶表示器１０４は、表示データが与えられた場合に、これを表示するものであり、図１に示すように、腕時計本体１００の表面全域を覆うように設けている。
【００４４】
スピーカ１０５は、メロディデータや音声データが与えられた場合に、それぞれのデータに応じたメロディや音声を出力するものである。
【００４５】
メモリ１０６は、表示データ、メロディデータおよび音声データ等の各種データや後述する腕時計の機能を実現するための各種プログラム（例えばｊａｖａ（Ｒ）等）やデータを格納したものである。また、メモリ１０６には、携帯無線端末機器４００より取得した着信データを格納している。ここに、着信データには、着信した旨の情報と、送信者に関する情報とが含まれている。このメモリ１０６としては、随時読み書き可能なＲＡＭを適用している。
【００４６】
上述した表示データは、液晶表示器１０４に時刻表示を行うための時刻表示データと、時刻表示の背景となる背景データとを含んでいる。時刻表示データとしては、例えば現在時刻をデジタル表示するための各種フォントデータ、あるいは現在時刻をアナログ表示するための長針表示データや短針表示データが挙げられる。背景データとしては、静止画像を表示するためのデータ、あるいは動画像を表示するためのデータのいずれであっても良く、例えば著名なファッションデザイナーによるデザイン画や著名な画家による絵画、著名カメラマンによる写真や映像が挙げられる。あるいはキャラクタをアニメーション表示するためのデータであっても良い。上述したメモリ１０６には、これらの表示データが複数格納してある。また、表示データは、ゲーム用キャラクタデータも含んでいる。
【００４７】
メロディデータは、スピーカ１０５を通じて楽曲を出力するためのデータであり、音声データは、スピーカ１０５を通じて音声出力するためのデータである。これらメロディデータおよび音声データに関しても、上述したメモリ１０６に複数ずつ格納してある。
【００４８】
表示制御部１０７は、主制御部１０１からの指令に応じてメモリ１０６に格納された複数の表示データから該当するものを選択し、該選択した表示データを液晶表示器１０４に与えるものである。時刻表示を行う場合、表示制御部１０７は、フォントデータおよび背景データを各別に選択し、これらの組合せデータを液晶表示器１０４に与えることも可能である。
【００４９】
メロディ出力制御部１０８は、主制御部１０１からの指令に応じてメモリ１０６に格納されたメロディデータを選択し、該選択したメロディデータをスピーカ１０５に与えるものであり、音声出力制御部１０９は、主制御部１０１からの指令に応じてメモリ１０６に格納された音声データを選択し、該選択した音声データをスピーカ１０５に与えるものである。
【００５０】
時計機能部１１０は、現在時刻を告知するための機能を有した部分である。
【００５１】
操作入力部１１１は、主制御部１０１に対して各種設定入力を行うためのスイッチであり、図１に示すように、腕時計本体１００の両側面部に複数（図１では４つ）設けてある。これらの操作入力部１１１を通じて入力する設定としては、例えば、液晶表示器１０４に表示させる表示データの種類、任意の設定時刻、スケジュール、事前に報知出力を行う時間（以下、単に事前報知時間という）、液晶表示器１０４に対するフォントの表示位置や表示サイズが挙げられる。
【００５２】
振動発生部１１２は、与えられた駆動信号に応じて腕時計本体１００に振動を与える報知出力手段として機能するものである。
【００５３】
駆動信号付与部１１３は、主制御部１０１から与えられた情報に基づいて振動発生部１１２に駆動信号を与えるためのものである。例えば、操作入力部１１１を通じて取得した設定時刻と、時計機能部１１０を通じて取得した現在時刻とを比較し、この比較結果が、操作入力部１１１を通じて取得した事前報知時間以下となった場合に振動発生部１１２に駆動信号を与えるように機能する。
【００５４】
脈拍検出センサ１１４は、所有者の脈拍を検出するためのセンサであり、ベルト２００によって腕時計本体１００を腕に装着した場合に脈拍を検出することのできる位置に設けてある。血圧検出センサ１１５は、所有者の血圧を検出するためのセンサであり、ベルト２００によって腕時計本体１００を腕に装着した場合に血圧を検出することのできる位置に設けてある。体温検出センサ１１６は、所有者の体温を検出するためのセンサであり、ベルト２００によって腕時計本体１００を腕に装着した場合に体温を検出することのできる位置に設けてある。これら脈拍検出センサ１１４、血圧検出センサ１１５および体温検出センサ１１６が検出した検出結果は、いずれも主制御部１０１に与えられることになる。
【００５５】
充電池１１７は、上述した各部の駆動電力を与えるための電源となる部分である。ＡＣ−ＤＣ変換部１１８は、交流電流を直流電流に変換して充電池１１７に与えるためのものである。
【００５６】
クレードル３００は、図２に示すように、上述した液晶表示器１０４を前面に露出させた状態で腕時計本体１００を載置させた場合に、該腕時計本体１００と一体となるデザインに構成したもので、図３に示すように、通信インターフェース３０１と充電インターフェース３０２とを備えている。通信インターフェース３０１は、外部端末機器５００との接続端子を提供するもので、腕時計本体１００を載置させた場合に該腕時計本体１００の通信処理部１０３と外部端末機器５００との間におけるデータの送受信を仲介する機能を有している。充電インターフェース３０２は、交流電源との接続端子を提供するもので、腕時計本体１００を載置させた場合に該腕時計本体１００のＡＣ−ＤＣ変換部１１８に対して交流電流を供給するための機能を有している。
【００５７】
図４〜図１２は、上述した腕時計の使用態様を示したものである。以下、これらの図を適宜参照しながら本発明の腕時計についてさらに詳述する。
【００５８】
この腕時計では、操作入力部１１１を通じて表示データを選択すると、その選択結果が主制御部１０１を通じて表示制御部１０７に与えられる。選択結果が与えられた表示制御部１０７では、予めメモリ１０６に格納された複数の表示データからの中から選択結果に該当するものを選択し、該選択した表示データを液晶表示器１０４に与える。この結果、腕時計の液晶表示器１０４に所有者の所望とする表示データ、つまり選択したフォントデータによる時刻表示が、選択した背景データを背景として表示されるようになる。この場合、背景データとフォントデータとを予めペアで設定しておき、いずれか一方を選択した場合に他方が自動的に選択されるようにしても良いし、背景データとフォントデータとを個別に選択できるようにしても良い。後者の場合には、背景データとフォントデータとの組合せに応じた多数の表示を行うことができる。さらに、操作入力部１１１を通じてフォントの表示位置や表示サイズを指定すれば、この指定結果に応じてフォントの表示位置や表示サイズを変更することができるようになり、同一の背景と同一のフォントとを用いた表示であっても相互に趣が異なるようになる。
【００５９】
従って、この腕時計の所有者は、その日の気分や用途、ファッションに応じて液晶表示器１０４の表示を変更することができるようになる。しかも、上述したようにこの腕時計では、腕時計本体１００に対してベルト２００が着脱可能であるため、ベルト２００の交換も可能である。つまり、この腕時計は、液晶表示器１０４において異なる複数の表示を行うことができるため、さらにはデザインや色彩・材質の異なるベルト２００に交換することができるため、これ一つで様々なシーンに対応することが可能であり、装飾品としての機能が著しく高まるようになる。特に液晶表示器１０４として、腕時計本体１００の表面全域を覆う大きさを有したものを適用しているため、上述した表示による効果が一層顕著となる。
【００６０】
より具体的には、所有者が海辺に出掛けるのであれば、図４（ａ）に示すように、海を連想させるイルカが泳いでいる風景を背景として選択し、イタリックフォントのデジタル時刻表示を選択することができる。また、所有者がクラブに出かける場合には、図４（ｂ）に示すように、その日のＤＪ（ｄｉｓｋ　ｊｏｃｋｅｙ）のサウンドイメージに合致するデザインを選択することができる。
【００６１】
ここで、上述した腕時計にあっても、液晶表示器１０４に表示できる表示データは、予めメモリ１０６に格納されたものであり、時間が経過すれば、必ずしも最先端の流行に即したものとはならない場合もある。さらに、腕時計で表示できる表示データの数は、メモリ１０６の容量に左右されることになる。
【００６２】
しかしながら、この腕時計では、上述したように、携帯無線端末機器４００との間において無線通信によるデータの送受信を処理するための無線通信処理部１０２を備えるとともに、クレードル３００に載置させた場合にパーソナルコンピュータ等の外部端末機器５００との間においてデータの送受信を行うことができるように構成してある。従って、インターネット等のネットワークに最新の表示データをアップロードしたコンテンツサーバを構築しておけば、腕時計のメモリ１０６に常に最新の表示データを格納することができるようになる。つまり、携帯無線端末機器４００、あるいは外部端末機器５００およびクレードル３００を介してコンテンツサーバから最新の表示データをダウンロードし、腕時計のメモリ１０６に格納してある表示データをダウンロードした表示データに置換することで、メモリ１０６容量に関わりなく、腕時計の液晶表示器１０４に表示できる表示データの数が無限に広がることになる。
【００６３】
例えば毎年、春夏、秋冬に著名ファッションデザイナーによる時計のデザイン・コレクションを発表し、これを上述したコンテンツサーバにアップロードすれば、腕時計の所有者は、図５（ａ）および図５（ｂ）に示すように、常に最新の流行に即したデザインの表示を行うことができるようになる。
【００６４】
また、上述した腕時計においては、所有者の腕に装着した場合に、脈拍検出センサ１１４、血圧検出センサ１１５および体温検出センサ１１６によってそれぞれ脈拍、血圧、体温を検出することが可能である。従って、上述した時刻表示の他に、例えば図６に示すように、脈拍数を数値表示させることも可能である。この場合、脈拍検出センサ１１４の検出した脈拍が正常の範囲にある時と、正常の範囲を逸脱している時とで背景の色やデザインが異なるように表示を行えば、これら色やデザインの変化を通じて所有者が自己の体調を直感的に認識できるようになる。もちろん、血圧や体温についても同様である。
【００６５】
ここで、上記腕時計によれば、上述したように、携帯電話等の携帯無線端末機器４００との間において無線通信によるデータの送受信を行う機能を有している。従って、例えば、脈拍検出センサ１１４、血圧検出センサ１１５および体温検出センサ１１６によって検出した脈拍、血圧、体温を携帯無線端末機器４００に送信し、さらにこれらを掛かり付けの病院に転送することで医師による所有者の健康管理も可能となる。
【００６６】
また、上述した無線通信の機能、並びに腕に装着できる機能を利用すれば、例えば所有者がスポーツを行っている時の脈拍、血圧、体温をデータセンターに転送することで運動中の体調も正確に把握することができるようになる。特に、腕時計はベルト２００によって腕に装着することができるものであるため、激しい運動を行う場合にも脈拍、血圧、体温を正確に検出することが可能である。
【００６７】
さらに、腕時計の主制御部１０１からは、脈拍検出センサ１１４、血圧検出センサ１１５および体温検出センサ１１６を通じて脈拍、血圧、体温を検出した場合に、所有者の腕に装着されているか否かを判断することができる。従って、所有者の腕に装着されていると判断した場合には、時計機能部１１０を通じて取得した現在時刻を参照し、音声出力制御部１０９を通じてスピーカ１０５から「おはよう」、「こんにちは」、「こんばんは」等の音声を出力することが可能になる。この場合、液晶表示器１０４においては、図７に示すように、キャラクタを表示させるようにしても良い。このキャラクタとしては、そのキャラクタが最初に表示された時点から経過した時間に応じて成長するものを適用することができる。つまり、いわゆる育てゲームのような機能を有することができる。
【００６８】
図８は、腕時計のスピーカ１０５からメロディを出力している場合の表示態様を示したものである。すなわち、上記腕時計では、メモリ１０６に格納したメロディデータに応じたメロディを出力することができるため、このメロディに従って液晶表示器１０４の表示を変更することも可能となる。
【００６９】
一方、上述した腕時計は、ＰＩＭ（Ｐｅｒｓｏｎａｌ　Ｉｎｆｏｒｍａｔｉｏｎ　　Ｍａｎａｇｅｒ）としても機能させることができる。具体的には、操作入力部１１１を通じて設定時刻（例えば９：００）および事前報知時間（例えば３０分）を入力すれば、駆動信号付与部１１３において設定時刻と現在時刻との比較が行われ、８：３０になった時点で振動発生部１１２に駆動信号が与えられる。この結果、振動発生部１１２の振動が腕時計本体１００を通じて所有者に伝わるようになり、約束の時間を忘れることがなくなる。この場合、図９に示すように、操作入力部１１１を通じて設定したスケジュールを表示するようにしても良い。
【００７０】
こうしたＰＩＭ機能は、さらに以下のように利用することも可能である。すなわち、携帯無線端末機器４００によって取得した時刻表データを腕時計のメモリ１０６に転送した後、この時刻表データを液晶表示器１０４に表示させる（図１０（ａ）および（ｂ）参照）。所有者は、表示された時刻表データから乗り換え時刻を選択し、これを設定時刻として入力するとともに、事前報知時間を入力する。こうしておけば、たとえ電車の中で寝てしまったとしても、腕時計本体１００の振動によって寝過ごす虞れがなくなる。
【００７１】
以上のような腕時計は、さらに携帯無線端末機器４００の端末（デバイス　オブ　デバイス）としても機能させることができる。例えば、腕時計は、携帯無線端末機器４００が着呼した場合には、主制御部１０１が、駆動信号付与部１１３を通じて駆動信号を与えて振動発生部１１２により振動を発生させる。その後、メモリ１０６に格納してある着信データを液晶表示器１０４に表示させることができる。より詳細には、まず、図１１（ａ）に示すように、着信した旨の情報を液晶表示器１０４に表示させてから、図１１（ｂ）に示すように、送信者に関する情報を液晶表示器１０４に表示させることができる。
【００７２】
また、携帯無線端末機器４００が着信したものがメールの場合には、上記と同様のステップで、振動発生部１１２により振動を発生させ、その後、図１２（ａ）に示すように、メールを着信した旨の情報を液晶表示器１０４に表示させてから、図１２（ｂ）に示すように、送信者に関する情報を液晶表示器１０４に表示させることができる。
【００７３】
このような機能を有していれば、例えば、携帯無線端末機器４００が鞄等に入っていて所有者から離れた場所にある場合、所有者が会議に出席している場合や騒音の大きい場所にいる場合等においても、所有者は容易に携帯無線端末機器４００が着信した旨を知ることができる。
【００７４】
上記のような腕時計を駆動するための電源としては、上述した充電池１１７が用いられる。この充電池１１７は、腕時計本体１００をクレードル３００に載置させることによって都度充電されるようになる。腕時計本体１００をクレードル３００に載置させた場合にも、腕時計として機能するため、例えばそのまま枕元に置いておけば、卓上時計や目覚まし時計としても使用することができる。
【００７５】
【発明の効果】
以上説明したように、本発明の請求項１に係る発明によれば、複数の表示データを格納したメモリと、複数の表示データを切換表示可能な表示手段と、入力された情報に応じてメモリに格納した表示データを選択し、該選択した表示データを表示手段に表示する表示制御手段とを備えるようにしているため、表示手段において複数の表示データを切り換え表示することができるようになり、数多く所有することなく様々なシーンに対応することが可能となる。
【００７６】
また、本発明の請求項２に係る発明によれば、メモリに格納した表示データが、現在時刻をデジタル表示するための複数のフォントデータを含むようにしているため、時刻表示を異なるフォントで表示することが可能となる。
【００７７】
また、本発明の請求項３に係る発明によれば、メモリに格納した表示データが、時刻表示の背景となる複数の背景データを含むようにしているため、表示手段に表示する背景を変更することが可能になる。この場合の背景データとしては、請求項４に係る発明のように静止画像であっても良いし、請求項５に係る発明のように動画像であっても構わない。
【００７８】
また、本発明の請求項６に係る発明によれば、メモリに格納した表示データが、現在時刻をデジタル表示するための複数のフォントデータと、時刻表示の背景となる複数の背景データとを含むものであり、表示制御手段が、複数のフォントデータと、複数の背景データとを各別に選択し、これらの組合せデータを表示手段に表示するようにしているため、より多くの表示を行うことができる。
【００７９】
また、請求項７に係る発明によれば、表示手段に表示するフォントデータの位置を外部から指定するための表示位置指定手段をさらに備え、表示制御手段が表示位置指定手段を通じた指定位置に従ってフォントデータを表示するようにしているため、同一の背景および同一のフォントを表示した場合にも、表示位置の変更によって腕時計の趣を異ならせることができる。
【００８０】
また、本発明の請求項８に係る発明によれば、表示手段を備えた腕時計本体と、この腕時計本体を腕に装着するためのベルトとを互いに着脱可能に接続しているため、ベルトを複数種用意することでベルトを変更することが可能になる。
【００８１】
また、本発明の請求項９に係る発明によれば、表示手段に表示する表示データを外部から選択するためのデータ選択手段をさらに備え、表示制御手段がデータ選択手段を通じた選択結果に従って表示データを選択するようにしているため、所有者の意志に従った表示を行うことが可能になる。
【００８２】
また、本発明の請求項１０に係る発明によれば、脈拍を検出するための脈拍検出手段をさらに備え、表示制御手段が脈拍検出手段の検出結果に応じて表示データを選択するようにしているため、また、本発明の請求項１１に係る発明によれば、血圧を検出するための血圧検出手段をさらに備え、表示制御手段が血圧検出手段の検出結果に応じて表示データを選択するようにしているため、また、本発明の請求項１２に係る発明によれば、体温を検出するための体温検出手段をさらに備え、表示制御手段が体温検出手段の検出結果に応じて表示データを選択するようにしているため、所有者が自己の体調を直感的に認識できるようになる。
【００８３】
また、本発明の請求項１３に係る発明によれば、表示手段として腕時計本体の表面全域を覆う大きさを有したものを適用しているため、表示による効果を一層顕著なものとすることができる。
【００８４】
また、本発明の請求項１４に係る発明によれば、メロディデータを格納したメモリと、メロディデータに応じたメロディを出力するメロディ出力手段とをさらに備え、表示制御手段が、メロディ出力手段から出力されるメロディに従って表示データを選択するようにしているため、表示に変化を与えることができるとともに表示態様を増やすことができる。
【００８５】
また、本発明の請求項１５に係る発明によれば、駆動信号に応じて報知出力を行う報知出力手段と、任意の時刻を設定入力するための時刻入力手段と、時刻入力手段によって入力された設定時刻と現在時刻とを比較し、該比較結果が予め設定した時間以下となった場合に報知出力手段に対して駆動信号を与える駆動信号付与手段とをさらに備えたようにしているため、ＰＩＭとしても機能させることが可能になる。
【００８６】
また、本発明の請求項１６に係る発明によれば、報知出力手段として、駆動信号が与えられた場合に振動する振動発生手段を適用しているため、振動を通じて所有者に報知することができる。
【００８７】
また、本発明の請求項１７に係る発明によれば、電源供給手段として腕時計本体に設けた充電池と、腕時計本体を載置させ、かつ充電池に対して充電を行うクレードルとをさらに備えたようにしているため、クレードルに載置させることによって腕時計の充電を行うことができる。
【００８８】
また、本発明の請求項１８に係る発明によれば、クレードルとして、表示手段を前面に露出させた状態で腕時計本体を載置させるものを適用しているため、腕時計を卓上時計や目覚まし時計としても使用することができる。
【００８９】
また、本発明の請求項１９に係る発明によれば、複数の音声データを格納したメモリと、音声データに応じた音声を出力する音声出力手段と、入力された情報に応じてメモリに格納した音声データを選択し、音声出力手段を通じて選択した音声データの出力を行う音声出力制御手段とをさらに備えたようにしているため、状況に応じた音声を出力することができる。
【００９０】
また、本発明の請求項２０に係る発明によれば、体温を検出するための体温検出手段をさらに備え、音声出力制御手段が体温検出手段の検出結果に応じて音声データを選択するようにしているため、例えば所有者が腕時計を腕に装着した際に挨拶となるような音声を出力することが可能になる。
【００９１】
また、本発明の請求項２１に係る発明によれば、携帯無線端末機器との間においてデータの送受信を行う無線通信処理部と、脈拍を検出するための脈拍検出手段と、脈拍検出手段の検出結果を送信データとして無線通信処理部に与える脈拍データ送出手段とをさらに備えたようにしているため、また、本発明の請求項２２に係る発明によれば、携帯無線端末機器との間においてデータの送受信を行う無線通信処理部と、血圧を検出するための血圧検出手段と、血圧検出手段の検出結果を送信データとして無線通信処理部に与える血圧データ送出手段とをさらに備えたようにしているため、また、本発明の請求項２３に係る発明によれば、携帯無線端末機器との間においてデータの送受信を行う無線通信処理部と、体温を検出するための体温検出手段と、体温検出手段の検出結果を送信データとして無線通信処理部に与える体温データ送出手段とをさらに備えたようにしているため、取得した所有者の脈拍、血圧、体温といった検出結果を携帯無線端末機器に送出し、さらに携帯無線端末機器を通じてこれを病院やデータセンターといった専門機関に転送することができるため、これらの専門機関による所有者の健康管理を行うことも可能となる。
【００９２】
また、本発明の請求項２４に係る発明によれば、携帯無線端末機器との間においてデータの送受信を行う無線通信処理部と、無線通信処理部を通じて携帯無線端末機器から送信されたデータをメモリに格納するデータ処理手段とをさらに備えたようにしているため、腕時計の機能を拡張することができる。
【００９３】
また、本発明の請求項２５に係る発明によれば、携帯無線端末機器との間においてデータの送受信を行う無線通信処理部と、無線通信処理部を通じて携帯無線端末機器から取得した時刻表データをメモリに格納するデータ処理手段と、メモリに格納した時刻表データを表示する時刻表データ表示手段と、駆動信号に応じて報知出力を行う報知出力手段と、任意の時刻を設定入力するための時刻入力手段と、時刻入力手段によって入力された設定時刻と現在時刻とを比較し、該比較結果が予め設定した時間以下となった場合に報知出力手段に対して駆動信号を与える駆動信号付与手段とをさらに備えたようにしているため、例えば表示された時刻表データから乗り換え時刻を選択し、これを設定時刻として入力するとともに、事前報知時間を入力しておけば、たとえ電車の中で寝てしまったとしても、腕時計本体からの報知出力によって寝過ごす虞れがなくなる。
【００９４】
また、本発明の請求項２６に係る発明によれば、携帯無線端末機器との間においてデータの送受信を行う無線通信処理部と、前記無線通信処理部を通じて前記携帯無線端末機器から取得した着信データをメモリに格納するデータ処理手段と、前記メモリに格納した着信データを表示する着信データ表示手段とをさらに備えたようにしているため、例えば携帯無線端末機器が着信した場合に、その旨を表示させることができると共に、送信者を表示させることができるので、携帯無線端末機器が所有者から離れた場所にあっても、所有者は着信した旨を知ることができる。
【００９５】
また、本発明の請求項２７に係る発明によれば、駆動信号に応じて報知出力を行う報知出力手段と、前記携帯無線端末機器から着信データを取得した場合に前記報知出力手段に対して駆動信号を与える駆動信号付与手段とをさらに備えているため、例えば携帯無線端末機器が着信した場合に、その旨を表示させることができると共に、送信者を表示させることができるので、携帯無線端末機器が所有者から離れた場所にあっても、所有者は着信した旨を容易に知ることができる。
【００９６】
また、本発明の請求項２８に係る発明によれば、報知出力手段として、駆動信号が与えられた場合に振動する振動発生手段を適用しているため、振動を通じて所有者に報知することができる。
【００９７】
また、本発明の請求項２９に係る発明によれば、加齢に応じた複数の異なる姿態のキャラクタデータを格納したメモリと、前記キャラクタデータに応じたキャラクタを表示するキャラクタ表示手段と、キャラクタの表示が要求された場合に、前記キャラクタ表示手段を通じて表示させた時点から経過した時間に応じて、前記キャラクタデータを選択し、前記キャラクタを成長させた態様で表示するキャラクタ表示制御手段とをさらに備えているため、所有者は、該キャラクタが成長する様子を目で見て楽しむことができる。
【００９８】
また、本発明の請求項３０に係る発明によれば、外部端末機器との間においてデータの送受信を行う通信処理部と、腕時計本体を載置させ、かつ通信処理部と外部端末機器との間を通信可能状態とするクレードルとをさらに備えたようにしているため、クレードルに載置させた場合に外部端末機器を通じて種々のデータを取得し、腕時計の機能を拡張することができる。
【００９９】
また、本発明の請求項３１に係る発明によれば、クレードルとして表示手段を前面に露出させた状態で腕時計本体を載置させるものを適用しているため、データの送受信を行っている場合にも、腕時計を卓上時計や目覚まし時計としても使用することができる。
【図面の簡単な説明】
【図１】本発明の実施の形態である腕時計を示す要部正面図である。
【図２】図１に示した腕時計をクレードルに載置させた状態を示す斜視図である。
【図３】図１に示した腕時計の構成および周辺機器を示すブロック図である。
【図４】図１に示した腕時計の表示態様例を示す正面図である。
【図５】図１に示した腕時計の表示態様例を示す正面図である。
【図６】図１に示した腕時計の表示態様例を示す正面図である。
【図７】図１に示した腕時計の表示態様例を示す正面図である。
【図８】図１に示した腕時計の表示態様例を示す正面図である。
【図９】図１に示した腕時計の表示態様例を示す正面図である。
【図１０】図１に示した腕時計の表示態様例を示す正面図である。
【図１１】図１に示した腕時計の表示態様例を示す正面図である。
【図１２】図１に示した腕時計の表示態様例を示す正面図である。
【符号の説明】
１００　　　腕時計本体
１０１　　　主制御部
１０２　　　無線通信処理部
１０３　　　通信処理部
１０４　　　液晶表示器
１０５　　　スピーカ
１０６　　　メモリ
１０７　　　表示制御部
１０８　　　メロディ出力制御部
１０９　　　音声出力制御部
１１０　　　時計機能部
１１１　　　操作入力部
１１２　　　振動発生部
１１３　　　駆動信号付与部
１１４　　　脈拍検出センサ
１１５　　　血圧検出センサ
１１６　　　体温検出センサ
１１７　　　充電池
１１８　　　ＡＣ−ＤＣ変換部
２００　　　ベルト
３００　　　クレードル
３０１　　　通信インターフェース
３０２　　　充電インターフェース
４００　　　携帯無線端末機器
５００　　　外部端末機器
【図１】
2004028918.tif 000003
【図２】
2004028918.tif 000004
【図３】
2004028918.tif 000005
【図４】
2004028918.tif 000006
【図５】
2004028918.tif 000007
【図６】
2004028918.tif 000008
【図７】
2004028918.tif 000009
【図８】
2004028918.tif 000010
【図９】
2004028918.tif 000011
【図１０】
2004028918.tif 000012
【図１１】
2004028918.tif 000013
【図１２】
2004028918.tif 000014